(57)【要約】【課題】接着剤によりレンズを固定するレンズ結合部とレンズとの接着強度を確実に向上させるレンズ鏡筒およびこのようなレンズ鏡筒を備えるカメラを提供する。【解決手段】レンズ結合部２１は、鏡筒構造体２の円周（内壁）に沿って複数均等に分布するように配置（複数等配）してある。レンズ１１とレンズ結合部２１は接着剤で構成された接着部２９を介して相互に接着、固定されている。レンズ結合部２１は、第１接着部２５ａおよび第２接着部２６ａを備える。レンズ結合部２１の周囲にはレンズ位置を補助的に規定する位置規定部２７が形成してある。第１接着部２５ａは第１間隙Ｇｐ１に充填された接着剤（接着部２９）でレンズ１１と接着され、第２接着部２６ａは第１間隙Ｇｐ１より大きい第２間隙Ｇｐ２に充填された接着剤（接着部２９）でレンズ１１と接着される。【選択図】図２
2008090290.tif 000002
【特許請求の範囲】
【請求項１】
接着剤によりレンズを固定するレンズ結合部を鏡筒構造体に備えるレンズ鏡筒であって、
前記レンズ結合部は、第１間隙で前記レンズを接着する第１接着部と、該第１接着部に隣接し前記第１間隙より大きい第２間隙で前記レンズを接着する第２接着部とを備えること
を特徴とするレンズ鏡筒。
【請求項２】
前記第１接着部および前記第２接着部は、前記鏡筒構造体の円周方向に配置してあることを特徴とする請求項１に記載のレンズ鏡筒。
【請求項３】
前記第２接着部は、前記第１接着部の両側に対称に配置してあることを特徴とする請求項２に記載のレンズ鏡筒。
【請求項４】
前記第１接着部および前記第２接着部は、前記鏡筒構造体の円周に沿って２組以上繰り返して配置してあることを特徴とする請求項２に記載のレンズ鏡筒。
【請求項５】
前記第１接着部の半径方向端部は、前記第２接着部の半径方向端部より前記鏡筒構造体の中心側へ延伸してあることを特徴とする請求項２に記載のレンズ鏡筒。
【請求項６】
前記第１接着部および前記第２接着部は、前記鏡筒構造体の半径方向に配置してあることを特徴とする請求項１に記載のレンズ鏡筒。
【請求項７】
前記第２接着部は、前記第１接着部より前記鏡筒構造体の中心側に配置してあることを特徴とする請求項６に記載のレンズ鏡筒。
【請求項８】
前記第２接着部は、前記第１接着部の領域内に配置してあることを特徴とする請求項１に記載のレンズ鏡筒。
【請求項９】
前記レンズ結合部は、前記鏡筒構造体の円周に沿って複数等配してあることを特徴とする請求項１ないし請求項８のいずれか一つに記載のレンズ鏡筒。
【請求項１０】
前記鏡筒構造体は、前記第１接着部および前記第２接着部に連接し前記レンズとの間に前記第１間隙より大きく前記第２間隙より小さい補助間隙を有する補助構造部を備えることを特徴とする請求項２ないし請求項５のいずれか一つに記載のレンズ鏡筒。
【請求項１１】
前記補助構造部は、前記第１接着部および前記第２接着部に対して前記レンズの半径方向で中心側に配置してあることを特徴とする請求項１０に記載のレンズ鏡筒。
【請求項１２】
前記第２接着部は、相互に隣り合わせで配置してあり、前記鏡筒構造体は、前記レンズとの間に前記第１間隙より大きく前記第２間隙より小さい補助間隙を有する補助構造部を隣り合う前記第２接着部の間に備えることを特徴とする請求項２ないし請求項５のいずれか一つに記載のレンズ鏡筒。
【請求項１３】
前記鏡筒構造体は、前記鏡筒構造体の中心側で前記第２接着部に連接し前記レンズとの間に前記第１間隙より大きく前記第２間隙より小さい補助間隙を有する補助構造部を備えることを特徴とする請求項７に記載のレンズ鏡筒。
【請求項１４】
レンズを固定したレンズ鏡筒を備えるカメラであって、
前記レンズ鏡筒は請求項１ないし請求項１３のいずれか一つに記載のレンズ鏡筒であることを特徴とするカメラ。
【発明の詳細な説明】
【技術分野】
【０００１】
本発明は、接着剤によりレンズを鏡筒構造体に固定したレンズ鏡筒およびそのようなレンズ鏡筒を備えるカメラに関する。
【背景技術】
【０００２】
カメラの小型化に伴い、接着剤によりレンズを鏡筒構造体（レンズホルダー）に固定したレンズ鏡筒がカメラの鏡筒などに適用されるようになっている。光学特性を向上させて信頼性を向上するためには、鏡筒構造体とレンズとの傾きを防止し、固定強度を向上させることはレンズ鏡筒について重要事項である。
【０００３】
図２８は、従来例に係るレンズ鏡筒の平面を示す平面図である。
【０００４】
レンズ鏡筒１０１は、レンズ（不図示）を接着剤（不図示）で接着する構成としてある（例えば特許文献１参照。）。レンズ鏡筒１０１は、凹凸構造とした嵌合型のレンズ構造体１０２を備えてあり、凹構造として溝部１０３を有する。レンズは溝部１０３に嵌合され、４隅に配置された接着部１０４に塗布された接着剤で接着される。
【０００５】
接着部１０４からはみ出した接着剤は、溝部１０３に収容されることから、接着剤がレンズ半径方向へ移動して鏡筒内壁１０５へ染み出すことを防止している。凹凸構造は、円柱状、分割円環状などの種々の構造があるが、いずれも隙間部分（溝部１０３）への過剰な接着剤の余った部分がここに流入していく形態となっている。
【特許文献１】実開平４−３４０９号公報
【発明の開示】
【発明が解決しようとする課題】
【０００６】
接着剤によりレンズを鏡筒構造体に固定する場合、小径のレンズでは、接着剤を塗布するエリアが少なくなり、耐衝撃性が低下し、接着強度が弱くなる傾向がある。
【０００７】
また、カメラモジュール（レンズ鏡筒）の組み立てでは、レンズと鏡筒構造体との間に接着剤を挟みこみ、接着剤を閉じ込めて発塵因子をなくす方法があるが、この方法では、接着面がさらに限定され接着強度の低下を大きくなるという問題がある。
【０００８】
さらに、レンズと鏡筒構造体との間に接着剤を挟みこむ構造では、レンズはレンズに接する接着剤を介してのみ鏡筒構造体と接触（接着）しているので、接触部分へ垂直にレンズをはずす方向の力がかかると、接着面が限定されている分だけ接着強度が弱いという問題がある。また、接着剤が完全に均一でないときにも、接着強度の不均一部分から容易にはがれを生じやすいという問題がある。
【０００９】
本発明はこのような状況に鑑みてなされたものであり、接着剤によりレンズを固定するレンズ結合部を第１接着部および第１接着部と段差を有する第２接着部で構成することにより、レンズとレンズ結合部との間での接着剤の分布（厚さと面積）を最適化して接着強度を確実に向上させるレンズ鏡筒を提供することを目的とする。
【００１０】
また、本発明は本発明に係るレンズ鏡筒を備えたカメラとすることにより、信頼性の高い接着強度を有するレンズ鏡筒を備えることにより、耐衝撃性が高く、信頼性の高いカメラを提供することを他の目的とする。
【課題を解決するための手段】
【００１１】
本発明に係るレンズ鏡筒は、接着剤によりレンズを固定するレンズ結合部を鏡筒構造体に備えるレンズ鏡筒であって、前記レンズ結合部は、第１間隙で前記レンズを接着する第１接着部と、該第１接着部に隣接し前記第１間隙より大きい第２間隙で前記レンズを接着する第２接着部とを備えることを特徴とする。
【００１２】
この構成により、レンズをレンズ結合部に接着するとき、第１接着部に塗布した過剰な接着剤を第２接着部へ供給することが可能となり、第１接着部とレンズとの間での接着剤の厚さと、第２接着部とレンズとの間での接着剤の厚さとを異ならせると共に段差でのフィレット作用（段差部にある面への裾引き作用）を生じさせることから、レンズとレンズ結合部との間での接着剤の分布（厚さと面積）を最適化してレンズとレンズ結合部とを接着することができるので、レンズ結合部の面積が限られている場合でも接着強度を確実に向上させることが可能となる。
【００１３】
また、本発明に係るレンズ鏡筒では、前記第１接着部および前記第２接着部は、前記鏡筒構造体の円周方向に配置してあることを特徴とする。
【００１４】
この構成により、第１接着部および第２接着部を容易に形成することができると共に接着剤を第１接着部から第２接着部へ鏡筒構造体の円周方向に移動させて供給できることから、円周方向での接着領域を限定した場合でも接着強度を確保することが可能となると共に第１接着部からレンズの半径方向への接着剤のはみ出しを抑制することが可能となり、レンズ有効径を容易に確保することが可能となる。
【００１５】
また、本発明に係るレンズ鏡筒では、前記第２接着部は、前記第１接着部の両側に対称に配置してあることを特徴とする。
【００１６】
この構成により、第１接着部から第２接着部への接着剤の移動、供給を第１接着部の両側で均等にできることから、接着強度向上すると共に均等化することが可能となる。
【００１７】
また、本発明に係るレンズ鏡筒では、前記第１接着部および前記第２接着部は、前記鏡筒構造体の円周に沿って２組以上繰り返して配置してあることを特徴とする。
【００１８】
この構成により、鏡筒構造体の全円周について接着剤の移動を均等化することが可能となり、半径方向での寸法を変更せずに、繰り返しの数に応じて接着強度を向上することが可能となることから、フィレット作用を全円周について均等化すると共に接着強度を向上することが可能となる。
【００１９】
また、本発明に係るレンズ鏡筒では、前記第１接着部の半径方向端部は、前記第２接着部の半径方向端部より前記鏡筒構造体の中心側へ延伸してあることを特徴とする。
【００２０】
この構成により、鏡筒構造体の円周方向で第１接着部から第２接着部へ接着剤を供給すると共に、レンズの半径方向で第１接着部から第２接着部へ接着剤を供給できることから、延伸部分によるフィレット作用を拡大させて接着強度をさらに向上させることが可能となる。
【００２１】
また、本発明に係るレンズ鏡筒では、前記第１接着部および前記第２接着部は、前記鏡筒構造体の半径方向に配置してあることを特徴とする。
【００２２】
この構成により、レンズの半径方向で接着剤を第１接着部から第２接着部へ供給することから、第１接着部からレンズの半径方向への接着剤のはみ出しを抑制することが可能となり、レンズ有効径を確保することが可能となる。また、半径方向に接着剤を充填することから半径方向での鏡筒構造体の変形を抑制することが可能となる。
【００２３】
また、本発明に係るレンズ鏡筒では、前記第２接着部は、前記第１接着部より前記鏡筒構造体の中心側に配置してあることを特徴とする。
【００２４】
この構成により、第１接着部および第２接着部を容易に形成することが可能となる。
【００２５】
また、本発明に係るレンズ鏡筒では、前記第２接着部は、前記第１接着部の領域内に配置してあることを特徴とする。
【００２６】
この構成により、第１接着部に塗布した過剰な接着剤は、第２接着部に収容できることから、接着剤がレンズ結合部の周囲からはみ出すことがなく、レンズ結合部の接着領域を拡張できない場合でも接着強度を確保することが可能となると共に接着剤の広がりを確実に抑制することが可能となる。つまり、接着強度を維持した状態でレンズ結合部の面積を低減することが可能となる。
【００２７】
また、本発明に係るレンズ鏡筒では、前記レンズ結合部は、前記鏡筒構造体の円周に沿って複数等配してあることを特徴とする。
【００２８】
この構成により、レンズをレンズ結合部に均等にバランス良く接着することが可能となり、優れた光学特性を有するレンズ鏡筒となる。
【００２９】
また、本発明に係るレンズ鏡筒では、前記鏡筒構造体は、前記第１接着部および前記第２接着部に連接し前記レンズとの間に前記第１間隙より大きく前記第２間隙より小さい補助間隙を有する補助構造部を備えることを特徴とする。
【００３０】
この構成により、補助構造部は、第１接着部から第２接着部へ溢れた接着剤がさらにレンズの半径方向（中心方向）に溢れることを防止し、レンズの半径方向での接着剤の不要な流れを抑制することから、補助構造部とレンズとの間でのフィレット効果でレンズへの接着力をさらに増大させることができる。
【００３１】
また、本発明に係るレンズ鏡筒では、前記補助構造部は、前記第１接着部および前記第２接着部に対して前記レンズの半径方向で中心側に配置してあることを特徴とする。
【００３２】
この構成により、補助構造部は、第１接着部から溢れた接着剤を効率よく第２接着部に誘導して、レンズの半径方向への不要な接着剤の流れを抑制することから、レンズに対する鏡筒構造体（レンズ結合部）の接着力をさらに増大させることができる。
【００３３】
また、本発明に係るレンズ鏡筒では、前記第２接着部は、相互に隣り合わせで配置してあり、前記鏡筒構造体は、前記レンズとの間に前記第１間隙より大きく前記第２間隙より小さい補助間隙を有する補助構造部を隣り合う前記第２接着部の間に備えることを特徴とする。
【００３４】
この構成により、第１接着部と第２接着部の領域が円周方向で大きく配置され、第２接着部から接着剤が溢れたときでも、溢れた接着剤をレンズと補助構造部との間に誘導して、レンズの半径方向への接着剤の不要な流れを抑制し、併せてレンズに対する鏡筒構造体（レンズ結合部）の接着力をさらに増大させることができる。
【００３５】
また、本発明に係るレンズ鏡筒では、前記鏡筒構造体は、前記鏡筒構造体の中心側で前記第２接着部に連接し前記レンズとの間に前記第１間隙より大きく前記第２間隙より小さい補助間隙を有する補助構造部を備えることを特徴とする。
【００３６】
この構成により、第２接着部から接着剤がレンズの半径方向に溢れたときでも、溢れた接着剤をレンズと補助構造部との間に誘導して、レンズの半径方向への接着剤の不要な流れを抑制し、併せてレンズに対する鏡筒構造体（レンズ結合部）の接着力をさらに増大させることができる。
【００３７】
また、本発明に係るカメラは、レンズを固定したレンズ鏡筒を備えるカメラであって、前記レンズ鏡筒は本発明に係るレンズ鏡筒であることを特徴とする。
【００３８】
この構成により、信頼性の高い接着強度を有するレンズ鏡筒を備えるカメラとすることが可能となり、耐衝撃性が高く、信頼性の高いカメラとなる。
【発明の効果】
【００３９】
本発明に係るレンズ鏡筒によれば、第１間隙でレンズを接着する第１接着部と、第１接着部に隣接し第１間隙より大きい第２間隙でレンズを接着する第２接着部とを備えるレンズ結合部でレンズを接着することから、接着剤の分布を最適化してレンズとレンズ結合部とを接着するので、レンズ結合部の面積が限られている場合でも接着強度を確実に向上させることが可能となるという効果を奏する。
【００４０】
また、本発明に係るレンズ鏡筒によれば、第１接着部および第２接着部は、鏡筒構造体の円周方向に配置することから、円周方向での接着領域を限定した場合でも接着強度を確保し、レンズの半径方向への接着剤のはみ出しを抑制してレンズ有効径を容易に確保することが可能となるという効果を奏する。また、第２接着部を第１接着部の両側に対称に配置することから、接着剤の移動、供給を第１接着部の両側で均等化し、接着強度を向上すると共に均等化することが可能となるという効果を奏する。
【００４１】
また、本発明に係るレンズ鏡筒によれば、第１接着部および第２接着部は、鏡筒構造体の円周に沿って２組以上繰り返して配置してあることから、繰り返しの数に応じて接着強度を向上することが可能となり、フィレット作用を全円周について均等化すると共に接着強度を向上することが可能となるという効果を奏する。
【００４２】
また、本発明に係るレンズ鏡筒によれば、第１接着部の半径方向端部は、第２接着部の半径方向端部より鏡筒構造体の中心側へ延伸してあることから、延伸部分によるフィレット作用を拡大させて接着強度をさらに向上させることが可能となるという効果を奏する。
【００４３】
また、本発明に係るレンズ鏡筒によれば、第１接着部および第２接着部は、鏡筒構造体の半径方向に配置してあることから、レンズの半径方向への接着剤のはみ出しを抑制し、レンズ有効径を確保することが可能となるという効果を奏する。また、第２接着部を第１接着部より鏡筒構造体の中心側に配置してあることから、第１接着部および第２接着部を容易に形成することが可能である。
【００４４】
また、本発明に係るレンズ鏡筒によれば、第２接着部は、第１接着部の領域内に配置してあることから、レンズ結合部の接着領域を拡張できない場合でも接着強度を確保すると共に接着剤の広がりを確実に抑制できるので、接着強度を維持した状態でレンズ結合部の面積を低減できるという効果を奏する。
【００４５】
また、本発明に係るレンズ鏡筒によれば、レンズ結合部を鏡筒構造体の円周に沿って複数等配してあることから、レンズをレンズ結合部に均等にバランス良く接着して、優れた光学特性を有するレンズ鏡筒を提供することが可能となるという効果を奏する。
【００４６】
また、本発明に係るレンズ鏡筒によれば、鏡筒構造体は、第１接着部または第２接着部に連接しレンズとの間に第１間隙より大きく第２間隙より小さい補助間隙を有する補助構造部を備えることから、第１接着部から第２接着部へ溢れた接着剤がさらにレンズの半径方向（中心方向）に溢れることを防止し、レンズの半径方向での接着剤の不要な流れを抑制することが可能となり、補助構造部とレンズとの間でのフィレット効果でレンズへの接着力をさらに増大させることができる。
【００４７】
本発明に係るカメラによれば、本発明に係るレンズ鏡筒を備えることから、耐衝撃性が高く、信頼性の高いカメラを提供することが可能となるという効果を奏する。
【発明を実施するための最良の形態】
【００４８】
以下、本発明の実施の形態を図面に基づいて説明する。
【００４９】
＜実施の形態１＞
図１ないし図６に基づいて、本発明の実施の形態１について説明する。
【００５０】
図１は、本発明の実施の形態１に係るレンズ鏡筒の光軸を含む平面での概略断面を示す断面図である。なお、図１はレンズ鏡筒１の基本構成を概略的に示すものであり、他の実施の形態についても同様に適用できるものである。
【００５１】
本実施の形態に係るレンズ鏡筒１は、鏡筒構造体２と、鏡筒構造体２に保持されるレンズ１１およびレンズ１２を備える。レンズ１１は鏡筒構造体２の例えば終端部に取り付けられる終端レンズであり、レンズ１２は鏡筒構造体２の例えば中間部に取り付けられる中間レンズである。つまり、レンズ１１は鏡筒構造体２の終端部に設けられたレンズ結合部２１に取り付けられ、レンズ１２は鏡筒構造体２の中間部に設けられたレンズ結合部２２に取り付けられる。レンズ１１およびレンズ１２は、鏡筒構造体２の中心（光軸Ｌａｘ）に位置合わせして固定されている。
【００５２】
レンズ１１およびレンズ１２の取り付け、固定は、一般的に接着剤によりなされる。このときのレンズの取り付け方法としては、レンズに接着剤を塗布した後にレンズを所定の場所に装着する場合と、レンズを装着した後に接着剤を塗布する場合の二つの場合がある。レンズを装着した後に接着剤を塗布する場合は接着剤の塗布不良が生じやすくなり、接着剤の塗布不良部からの発塵の問題がある。他方、レンズに接着剤を塗布した後にレンズを装着する場合は、塗布不良およびそれに伴う発塵の問題は生じない。
【００５３】
また、鏡筒構造体２の中間部に設けられたレンズ結合部２２は、鏡筒構造体２の内壁に対して凹形状となっていることから、レンズ１２を構造的に固定、保持しやすく接着剤に要求される接着強度は大きくない。これに対して、鏡筒構造体２の終端部に設けられたレンズ結合部２１は、鏡筒構造体２の内壁に対して凸形状となっていることから、レンズ１１を構造的に固定、保持することは困難であり、接着剤に要求される接着強度は大きいものとなる。
【００５４】
本実施の形態は、接着剤に要求される接着強度を向上させることを可能とするものであり、レンズ１１をレンズ結合部２１に接着剤を適用して固定する場合に大きな効果を奏するものである。なお、鏡筒構造体２の終端部にあるレンズ結合部２１に適用した場合を例に説明するが、これに限るものではなく、例えば中間部にあるレンズ結合部２２に適用することも可能である。
【００５５】
また、レンズ結合部２１は、鏡筒構造体２の内壁に形成した場合を示すが、矢符Ｚ方向での鏡筒構造体２の端面２ｔに配置することも可能である。
【００５６】
図２は、図１の矢符Ｚ方向から見たレンズ鏡筒を示す平面図である。図３は、図２の矢符Ａ−Ａ（レンズ結合部の円周方向）での断面を拡大して示す拡大断面図である。図４は、図２の矢符Ｂ−Ｂ（位置規定部の半径方向）での断面を拡大して示す拡大断面図である。図５は、図２の矢符Ｃ−Ｃ（第２接着部の半径方向）での断面を拡大して示す拡大断面図である。図６は、図２の矢符Ｄ−Ｄ（第１接着部の半径方向）での断面を拡大して示す拡大断面図である。
【００５７】
なお、図２では、レンズ１１および接着部２９を省略してレンズ結合部２１の平面状態を示してある。また、図４ないし図６では、鏡筒構造体２の円周方向を直線方向に仮想修正した状態として示してある。
【００５８】
レンズ結合部２１は、鏡筒構造体２の円周（内壁）に沿って複数均等に分布するように配置（複数等配）してある。図２では、例えば３箇所にレンズ結合部２１を設定（３等配）した場合を示す。また、レンズ１１とレンズ結合部２１は接着剤で構成された接着部２９を介して相互に接着、固定されている。この構成により、レンズ１１をレンズ結合部２１に均等にバランス良く接着することが可能となり、優れた光学特性を有するレンズ鏡筒１となる。
【００５９】
レンズ結合部２１は、第１接着部２５ａおよび第２接着部２６ａを備える。また、レンズ結合部２１の周囲にはレンズ位置を補助的に規定する位置規定部２７が形成してある。
【００６０】
第１接着部２５ａと第２接着部２６ａの間には段差（第１間隙Ｇｐ１と第２間隙Ｇｐ２の差）が形成してある。つまり、第１接着部２５ａは第１間隙Ｇｐ１に充填された接着剤（接着部２９）でレンズ１１と接着され、第２接着部２６ａは第１間隙Ｇｐ１より大きい第２間隙Ｇｐ２に充填された接着剤（接着部２９）でレンズ１１と接着される。
【００６１】
第１接着部２５ａと第２接着部２６ａの間に段差を設けたことにより、レンズ１１をレンズ結合部２１に接着するとき、第１接着部２５ａに塗布した過剰な接着剤を第２接着部２６ａへ押し出して供給することが可能となる。したがって、第１間隙Ｇｐ１に充填された接着剤の厚さと、第２間隙Ｇｐ２に充填された接着剤の厚さとを異ならせると共に段差でのフィレット作用（段差部にある面への裾引き作用）を生じさせることから、レンズ１１とレンズ結合部２１との間での接着剤（接着部２９）の分布（厚さと面積）を最適化してレンズ１１とレンズ結合部２１とを接着することが可能となり、レンズ結合部２１の面積が限られている場合でも接着強度を確実に向上させることが可能となる。
【００６２】
また、第２接着部２６ａと位置規定部２７との間にも段差が形成してある。つまり、位置規定部２７は第２間隙Ｇｐ２より大きい第３間隙Ｇｐ３でレンズ１１と分離してある。位置規定部２７を第２接着部２６ａと一体化することも可能であるが、接着部２９の範囲を必要最小限にして接着剤の使用量を削減すること、位置規定部２７（およびレンズ結合部２１）の熱変形による接着剤（接着部２９）への影響を抑制、排除することなどを目的として、位置規定部２７には接着部２９を形成しない構成としてある。
【００６３】
したがって、位置規定部２７は、レンズ１１とレンズ結合部２１との接着に直接関与することはないが、レンズ結合部２１を支持して鏡筒構造体２でのレンズ１１の位置決め精度とレンズ結合部２１の機械的強度を向上させる役割を有する。
【００６４】
第１接着部２５ａおよび第２接着部２６ａは、鏡筒構造体２の円周方向に隣接して配置してある。この構成により、第１接着部２５ａおよび第２接着部２６ａを容易に形成することができ、接着部２９を構成する接着剤を第１接着部２５ａから第２接着部２６ａへ鏡筒構造体２の円周方向へ移動させて供給できることから、円周方向での接着領域（レンズ結合部２１の領域）を限定した場合でも接着強度を確保することが可能であり、また、第１接着部２５ａからレンズ１１の半径方向への接着剤のはみ出しを抑制することが可能となるので、レンズ有効径を容易に確保することが可能となる。
【００６５】
また、鏡筒構造体２の円周方向で、第２接着部２６ａ、２６ａは第１接着部２５ａの両側に隣接して対称に配置してある。この構成により、第１接着部２５ａから第２接着部２６ａへの接着剤の移動を第１接着部２５ａの両側で均等化することが可能となり、接着強度を維持し均等化することが可能となる。
【００６６】
第１接着部２５ａと第２接着部２６ａとの段差は、例えば数十μｍ程度であり、接着剤の粘性などに応じて適宜設定することが可能である。例えば、接着剤としてＵＶ硬化型接着剤である商品名Ｕ１５４２（ケミテック社製）を用いる場合には、段差は２０μｍ程度が適当である。
【００６７】
例えば、レンズ１１の直径を８ｍｍ（有効径６．８ｍｍ、レンズ半径方向への接着剤はみ出し誤差０．１ｍｍ）とした場合、レンズ結合部２１（第１接着部２５ａ、第２接着部２６ａ）の直径は、８ｍｍより小さく、７ｍｍより大きい範囲に形成することによりレンズ有効径を確保することが可能となる。
【００６８】
また、第１接着部２５ａのレンズ結合部２１に対する面積比は５０％としてある。したがって、第２接着部２６ａのレンズ結合部２１に対する面積比は２５％×２（＝５０％）となる。
【００６９】
次にレンズ１１への接着剤の接着状態を説明する（図３参照。）。第１接着部２５ａに塗布された接着剤はレンズ１１と第１接着部２５ａとの間（第１間隙Ｇｐ１）に充填されてレンズ１１と第１接着部２５ａとを接着する。また、接着剤は、第１間隙Ｇｐ１から押し出され隣接する第２接着部２６ａとレンズ１１との間（第２間隙Ｇｐ２）にも充填される。
【００７０】
通常、レンズ１１側の面が、鏡筒構造体２（レンズ結合部２１）の面より滑らかであることから、接着剤（接着部２９）はレンズ１１側での広がりが大きくなり、レンズ１１側に裾を引くような形で、第２接着部２６ａとレンズ１１の空間（第２間隙Ｇｐ２）で終端する。この裾引きの効果（フィレット作用）でレンズ１１とレンズ結合部２１との接着強度をさらに向上させることが可能となる。
【００７１】
＜実施の形態２＞
図７ないし図１０に基づいて、本発明の実施の形態２について説明する。
【００７２】
図７は、本発明の実施の形態２に係るレンズ鏡筒を図１の矢符Ｚ方向から見た平面状態として示す平面図である。図８は、図７の矢符Ｂ−Ｂ（位置規定部の半径方向）での断面を拡大して示す拡大断面図である。図９は、図７の矢符Ｃ−Ｃ（第２接着部の半径方向）での断面を拡大して示す拡大断面図である。図１０は、図７の矢符Ｄ−Ｄ（第１接着部の半径方向）での断面を拡大して示す拡大断面図である。
【００７３】
なお、図７では、レンズ１１および接着部２９を省略してレンズ結合部２１の平面状態を示してある。また、図８ないし図１０では、鏡筒構造体２の円周方向を直線方向に仮想修正した状態として示してある。図７の矢符Ａ−Ａ（レンズ結合部の円周方向）での断面は、図３と同様に表されるので図は省略する。
【００７４】
本実施の形態に係るレンズ鏡筒１は、実施の形態１で説明した第１接着部２５ａを変更して、第１接着部２５ｂとしたものであるので、主に第１接着部２５ｂが第１接着部２５ａと異なる点について説明する。
【００７５】
第１接着部２５ｂの半径方向端部２５ｂｔは、第２接着部２６の半径方向端部２６ａｔより鏡筒構造体２の中心側へ延伸してある。この構成により、鏡筒構造体２の円周方向で実施の形態１と同様に第１接着部２５ｂから第２接着部２６ａへ接着剤を供給すると共に、レンズ１１の半径方向で第１接着部２５ｂから第２接着部２６ａの半径方向端部２６ａｔに向けて接着剤を供給できることから、延伸部分によるフィレット作用を拡大させて接着強度をさらに向上させることが可能となる。
【００７６】
つまり、第１接着部２５ｂから第２接着部２６ａの半径方向端部２６ａｔに向けて供給された接着剤は第１接着部２５ｂの先端側部２５ｂｓと半径方向端部２６ａｔとの間に側面接着部２９ｓを形成することとなる。
【００７７】
したがって、円周方向での接着部２９の拡大に加えて半径方向での接着部２９を側面接着部２９ｓまで拡大することとなり、半径方向での接着強度を拡大する事が可能となる。なお、側面接着部２９ｓは、実施の形態１と同様にレンズ１１の方へ裾引きした形状となり、第１接着部２５ｂの先端側部２５ｂｓと半径方向端部２６ａｔとの間での接着強度を確保することとなる。
【００７８】
つまり、本実施の形態は、実施の形態１に比較してさらに接着強度を向上することが可能となる。
【００７９】
＜実施の形態３＞
図１１ないし図１４に基づいて、本発明の実施の形態３について説明する。
【００８０】
図１１は、本発明の実施の形態３に係るレンズ鏡筒を図１の矢符Ｚ方向から見た平面状態として示す平面図である。図１２は、図１１の矢符Ａ−Ａ（レンズ結合部の円周方向）での断面を拡大して示す拡大断面図である。図１３は、図１１の矢符Ｂ−Ｂ（位置規定部の半径方向）での断面を拡大して示す拡大断面図である。図１４は、図１１の矢符Ｃ−Ｃ（レンズ結合部の半径方向）での断面を拡大して示す拡大断面図である。
【００８１】
なお、図１１では、レンズ１１および接着部２９を省略してレンズ結合部２１の平面状態を示してある。また、図１３および図１４では、鏡筒構造体２の円周方向を直線方向に仮想修正した状態として示してある。
【００８２】
本実施の形態に係るレンズ鏡筒１は、実施の形態１、実施の形態２で説明した第１接着部２５ａ、２５ｂを変更して第１接着部２５ｃとし、また、第２接着部２６ａを変更して第２接着部２６ｃとしたものであるので、主に第１接着部２５ｃが第１接着部２５ａおよび第１接着部２５ｂと異なる点、また、第２接着部２６ｃが第２接着部２６ａと異なる点について説明する。
【００８３】
第１接着部２５ｃおよび第２接着部２６ｃは、鏡筒構造体２の半径方向に隣接して配置してある。この構成により、レンズ１１の半径方向で接着剤を第１接着部２５ｃから第２接着部２６ｃへ供給することが可能となる。したがって、第２間隙Ｇｐ２に接着剤を充填してフィレット作用を拡大させて接着強度をさらに向上させることが可能となる。
【００８４】
また、接着剤を第２間隙Ｇｐ２に充填することから、接着剤がレンズ１１の半径方向へはみ出すことを抑制することが可能となり、レンズ有効径を確保することが可能となる。さらに、半径方向に接着剤を充填することから半径方向での鏡筒構造体２の変形を抑制することが可能となる。
【００８５】
また、第２接着部２６ｃは、第１接着部２５ｃより鏡筒構造体２の中心側に配置してあることから、第１接着部２５ｃおよび第２接着部２６ｃを容易に形成することが可能となる。
【００８６】
なお、第１接着部２５ａと第２接着部２６ａとの段差は、実施の形態１と同様の条件では、２０μｍ程度が適当である。
【００８７】
例えば、レンズ１１の直径を８ｍｍ（有効径６．５ｍｍ）とした場合、第１接着部２５ｃの直径は、８ｍｍより小さく、７ｍｍより大きい範囲に形成し、第２接着部２６ｃの直径は、７ｍｍより小さく、６．５ｍｍより大きい範囲に形成することによりレンズ有効径を確保することが可能となる。
【００８８】
また、この裾引きの効果（フィレット作用）も実施の形態１、実施の形態２と同様に生じることから、レンズ１１とレンズ結合部２１との接着強度をさらに向上させることが可能となる。
【００８９】
＜実施の形態４＞
図１５ないし図１８に基づいて、本発明の実施の形態４について説明する。
【００９０】
図１５は、本発明の実施の形態４に係るレンズ鏡筒を図１の矢符Ｚ方向から見た平面状態として示す平面図である。図１６は、図１５の矢符Ａ−Ａ（レンズ結合部の円周方向）での断面を拡大して示す拡大断面図である。図１７は、図１５の矢符Ｂ−Ｂ（位置規定部の半径方向）での断面を拡大して示す拡大断面図である。図１８は、図１５の矢符Ｃ−Ｃ（レンズ結合部の半径方向）での断面を拡大して示す拡大断面図である。
【００９１】
なお、図１５では、レンズ１１および接着部２９を省略してレンズ結合部２１の平面状態を示してある。また、図１７および図１８では、鏡筒構造体２の円周方向を直線方向に仮想修正した状態として示してある。
【００９２】
本実施の形態に係るレンズ鏡筒１は、実施の形態１ないし実施の形態３で説明した第１接着部２５ａ、２５ｂ、２５ｃを変更して第１接着部２５ｄとし、また、第２接着部２６ａ、２６ｃを変更して第２接着部２６ｄとしたものであるので、主に第１接着部２５ｄが第１接着部２５ａ、２５ｂ、２５ｃと異なる点、また、第２接着部２６ｄが第２接着部２６ａ、２６ｃと異なる点について説明する。
【００９３】
第１接着部２５ｄは、レンズ結合部２１の周囲形状をそのまま規定する構成としてある。また、第２接着部２６ｄは、第１接着部２５ｄの領域内に配置してある。したがって、レンズ結合部２１に対応するレンズ１１の接触（接着領域）を第１接着部２５ｄに限定したい場合に有効である。
【００９４】
この構成により、過剰な接着剤を第１接着部２５ｄの領域の内側に配置された第２接着部２６ｄへ供給することが可能となる。つまり、レンズ結合部の領域を拡張できない場合でも第２間隙Ｇｐ２に接着剤を充填してフィレット作用を拡大させて接着強度をさらに向上させることが可能となり、接着強度を維持した状態でレンズ結合部の面積を低減することが可能となる。また、接着剤がレンズ結合部２１の周囲に（半径方向および円周方向のいずれにも）はみ出すことを抑制することが可能となり、レンズ有効径を確保することが可能となる。
【００９５】
なお、第１接着部２５ａと第２接着部２６ａとの段差は、実施の形態１と同様の条件では、２０μｍ程度が適当である。
【００９６】
＜実施の形態５＞
図１９は、本発明の実施の形態５に係るレンズ鏡筒を図１の矢符Ｚ方向から見た平面状態として示す平面図である。なお、図１９では、レンズ１１および接着部２９を省略してレンズ結合部２１の平面状態を示してある。
【００９７】
本実施の形態に係るレンズ鏡筒１は、実施の形態１で説明した第１接着部２５ａを変更して第１接着部２５ｅとし、また、第２接着部２６ａを変更して第２接着部２６ｅとしたものであるので、主に第１接着部２５ｅが第１接着部２５ａと異なる点、また、第２接着部２６ｅが第２接着部２６ａと異なる点について説明する。
【００９８】
レンズ結合部２１を構成する第１接着部２５ｅおよび第２接着部２６ｅは、２組以上繰り返して配置してある。つまり、レンズ結合部２１は、第１接着部２５ｅ→第２接着部２６ｅ→第１接着部２５ｅ→第２接着部２６ｅのように繰り返して配置された第１接着部２５ｅおよび第２接着部２６ｅを備える。
【００９９】
なお、第１接着部２５ｅは第１接着部２５ａと同一の基本構成としてあり、第２接着部２６ｅは第２接着部２６ａと同一の基本構成としてある。つまり、単に２組以上繰り返し配置してある点で異なり、その他の基本形状（例えば断面）は実施の形態１と共通している。
【０１００】
この構成により、鏡筒構造体２の全円周について接着剤の移動を均等化することが可能となり、半径方向での寸法を変更せずに、繰り返しの数に応じて接着強度を向上することが可能となることから、裾引きの効果（フィレット作用）を全円周について均等化すると共に接着強度を向上することが可能となる。また、接着強度を維持した状態でのレンズ１１（鏡筒構造体２）の直径の縮小化が可能となる。
【０１０１】
＜実施の形態６＞
図２０ないし図２３に基づいて、本発明の実施の形態６について説明する。
【０１０２】
図２０は、本発明の実施の形態６に係るレンズ鏡筒を図１の矢符Ｚ方向から見た平面状態として示す平面図である。図２１は、図２０の矢符Ｓ−Ｓ（レンズ結合部の円周方向）での断面を拡大して示す拡大断面図である。図２２は、図２０の矢符Ｔ−Ｔ（第１接着部の半径方向）での断面を拡大して示す拡大断面図である。図２３は、図２０の矢符Ｕ−Ｕ（第２接着部の半径方向）での断面を拡大して示す拡大断面図である。
【０１０３】
なお、図２０では、実施の形態１ないし実施の形態５と同様、レンズ１１および接着部２９を省略してレンズ結合部２１の平面状態を示してある。また、図２１ないし図２３では、鏡筒構造体２の円周方向を直線方向に仮想修正した状態として示してある。
【０１０４】
本実施の形態に係るレンズ結合部２１の基本構造は、実施の形態１に係るレンズ結合部２１と同様の構成としてある。つまり、第１接着部２５ａおよび第２接着部２６ａは、鏡筒構造体２の円周方向に隣接して配置してある。
【０１０５】
また、本実施の形態に係る鏡筒構造体２は、第１接着部２５ａおよび第２接着部２６ａに連接しレンズ１１との間に第１間隙Ｇｐ１より大きく第２間隙Ｇｐ２より小さい間隔（補助間隙Ｇｐｍ）を有する補助構造部３１ａを備える。図２１では、補助構造部３１ａのレンズ１１に対向する面を２点鎖線で示し、補助構造部３１ａとレンズ１１との間の補助間隙Ｇｐｍを第１間隙Ｇｐ１および第２間隙Ｇｐ２に対して比較できるように示してある。
【０１０６】
つまり、図２１で示すとおり、補助構造部３１ａは、補助構造部３１ａとレンズ１１との間隔（補助間隙Ｇｐｍ）が、第１接着部２５ａとレンズ１１との間隔（第１間隙Ｇｐ１）よりも大きく、第２接着部２６ａとレンズ１１との間隔（第２間隔Ｇｐ２）よりも小さく設定してある。
【０１０７】
したがって、例えば、第２接着部２６ａと第１接着部２５ａとの間の段差が３０μｍと設定されたとき、補助構造部３１ａは、第１接着部２５ａとの段差が１５μｍ程度になるように設定される。
【０１０８】
この構成により、補助構造部３１ａは、第１接着部２５ａから第２接着部２６ａへ溢れた接着剤（接着部２９）がさらにレンズ１１の半径方向（中心方向）に溢れることを防止し、レンズ１１の半径方向での接着剤（接着部２９）の不要な流れを抑制することから、補助構造部３１ａとレンズ１１との間でのフィレット効果でレンズ１１への接着力をさらに増大させることができる。
【０１０９】
また、補助構造部３１ａは、第１接着部２５ａおよび第２接着部２６ａに連接させてあり、レンズ１１の半径方向で中心側に配置してある。
【０１１０】
この構成により、補助構造部３１ａは、第１接着部２５ａから溢れた接着剤を効率よく第２接着部２６ａに誘導して、レンズ１１の半径方向への不要な接着剤（接着部２９）の流れを抑制することから、レンズ１１に対する鏡筒構造体２（レンズ結合部２１）の接着力をさらに増大させることができる。
【０１１１】
補助構造部３１ａは、第１接着部２５ａと第２接着部２６ａの中心側にレンズ１１の円周に対応させた円弧状の端部を有するように形成されている。レンズ１１をレンズ結合部２１に嵌めた際に、円弧状の補助構造部３１ａは、第１接着部２５ａおよび第２接着部２６ａにある接着剤の一部がレンズ１１の有効径内にはみ出すことを効率的に防止するように作用することとなる。
【０１１２】
レンズ１１と接着剤が触れた際、先ず、接着部２５ａからレンズ１１の半径方向および円周方向の双方で接着剤が流れることになる。その際に、レンズ１１の半径方向では、レンズ１１に対して第１間隙Ｇｐ１より大きい補助間隙Ｇｐｍを有する補助構造部３１ａが存在することから、半径方向にはみ出した接着剤は、円周方向に配置された補助構造部３１ａに沿って、レンズ１１と補助構造部３１ａの微小な間隙（補助間隙Ｇｐｍ）を円周方向（第２接着部２６ａの方向）へ流れやすくなる。
【０１１３】
つまり、第１接着部２５ａから円周方向（第２接着部２６ａの方向）へ流れた接着剤だけでなく、第１接着部２５ａから半径方向に流れた接着剤も円周方向に配された第２接着部２６ａへ誘導され、結果として、レンズ１１の半径方向、特にレンズ１１の有効径内へのはみ出しを防止することが可能となる。また、補助構造部３１ａおよび第２接着部２６ａによるフィレット効果も加わることから、レンズ結合部２１に対するレンズ１１の接着力をさらに向上させることが可能となる。
【０１１４】
なお、本実施の形態では、補助構造部３１ａは、第１接着部２５ａおよび第２接着部２６ａの円周方向の全体に対してレンズ１１の中心側に設置してある。しかし、補助構造部３１ａは、接着剤を第２接着部２６ａの側へ誘導する働きを有することから、第２接着部２６ａに対する補助構造部３１ａの形成範囲を第１接着部２５ａの側に限定して部分的に配置する形態とすることも可能である。
【０１１５】
補助構造部３１ａは、第１接着部２５ａおよび第２接着部２６ａと一体に形成することが可能である。
【０１１６】
＜実施の形態７＞
図２４および図２５に基づいて、本発明の実施の形態７について説明する。
【０１１７】
図２４は、本発明の実施の形態７に係るレンズ鏡筒を図１の矢符Ｚ方向から見た平面状態として示す平面図である。図２５は、図２４の矢符Ｒ−Ｒ（レンズ結合部２１間の円周方向）での断面を拡大して示す拡大断面図である。
【０１１８】
本実施の形態に係るレンズ結合部２１の基本構造は、実施の形態１、または実施の形態２に係るレンズ結合部２１と同様の構成としてある。つまり、第１接着部２５ａおよび第２接着部２６ａは、鏡筒構造体２の円周方向に隣接して配置してある。
【０１１９】
また、第２接着部２６ａは、第１接着部２５ａの両側に対称に配置してあることが望ましい。第１接着部２５ａおよび第２接着部２６ａは、鏡筒構造体２の円周に沿って２組以上繰り返して配置してあることが望ましい。第１接着部２５ａの半径方向端部は、第２接着部２６ａの半径方向端部より鏡筒構造体２の中心側へ延伸することが可能である。
【０１２０】
本実施の形態では、第２接着部２６ａは、相互に隣り合わせで配置してある。また、鏡筒構造体２は、レンズ１１との間に第１間隙Ｇｐ１より大きく第２間隙Ｇｐ２より小さい間隙（補助間隙Ｇｐｍ）を有する補助構造部３２ａを隣り合う第２接着部２６ａの間に連接させて備える。
【０１２１】
したがって、例えば、第２接着部２６ａと第１接着部２５ａとの間の段差が３０μｍと設定されたとき、補助構造部３２ａは、第１接着部２５ａとの段差が１５μｍ程度になるように設定される。
【０１２２】
また、補助構造部３２ａは、位置規定部２７に連接して形成されている。なお、実施の形態６と同様、補助構造部３２ａは、第１接着部２５ａおよび第２接着部２６ａと一体に形成することが可能である。
【０１２３】
本実施の形態における補助構造部３２ａは、図２４に示すとおり、第１接着部２５ａと、第２接着部２６ａとを円周方向に幅広く設計することが必要である場合に特に有効である。つまり、補助構造部３２ａがあることで、相互に対向する第２接着部２６ａから溢れた接着剤が相互に接触することを防止することが可能となる。
【０１２４】
また、補助構造部３２ａとレンズ１１との間で、第２接着部２６ａから溢れた接着剤を収容した状態で接着部２９を形成することが可能となることから、レンズ１１の中心方向への接着剤の流れを止めることができる。
【０１２５】
つまり、第１接着部２５ａと、第２接着部２６ａとが共に面積が大きい場合であっても、相互に対向する第２接着部２６ａから溢れた接着剤が相互に接触し、接触場所を基点として接着剤がレンズ１１の有効径内に流れ出す危険を回避することができる。
【０１２６】
また、接着剤（接着部２９）がレンズ１１と補助構造部３２ａの間に入り込んだ場合には、レンズ１１と補助構造部３２ａとの間にもフィレット効果が強く働くことになるので、レンズ結合部２１に対するレンズ１１の接着力をさらに向上させることが可能となる。
【０１２７】
＜実施の形態８＞
図２６および図２７に基づいて、本発明の実施の形態８について説明する。
【０１２８】
図２６は、本発明の実施の形態８に係るレンズ鏡筒を図１の矢符Ｚ方向から見た平面状態として示す平面図である。図２７は、図２６の矢符Ｖ−Ｖ（第１接着部、第２接着部の半径方向）での断面を拡大して示す拡大断面図である。
【０１２９】
本実施の形態に係るレンズ結合部２１の基本構造は、実施の形態３に係るレンズ結合部２１と同様の構成としてある。つまり、第１接着部２５ｃおよび第２接着部２６ｃは、鏡筒構造体２の半径方向に配置してあり、第２接着部２６ｃは、第１接着部２５ｃより鏡筒構造体２の中心側に配置してある。
【０１３０】
また、本実施の形態に係る鏡筒構造体２は、鏡筒構造体２の中心側で第２接着部２６ｃに連接しレンズ１１との間に第１間隙Ｇｐ１より大きく第２間隙Ｇｐ２より小さい間隔（補助間隙Ｇｐｍ）を有する補助構造部３１ｃを備える。
【０１３１】
したがって、例えば、第２接着部２６ｃと第１接着部２５ｃとの間の段差が３０μｍと設定されたとき、補助構造部３１ｃは、第１接着部２５ｃとの段差が１５μｍ程度になるように設定される。
【０１３２】
また、補助構造部３１ｃは、位置規定部２７に連接して形成されている。なお、実施の形態６、実施の形態７と同様、補助構造部３１ｃは、第１接着部２５ｃおよび第２接着部２６ｃと一体に形成することが可能である。
【０１３３】
本実施の形態における補助構造部３１ｃは、第２接着部２６ｃに対して接着剤の半径方向での流れを防止する段差を有することから、第２接着部２６ｃからレンズ１１の中心方向への接着剤の流れを遮断し、併せて、円周方向に接着剤の流れを誘導することが可能となる。つまり、接着剤がレンズ１１の有効径内に流れ出す危険を回避することができる。
【０１３４】
また、接着剤（接着部２９）が第２接着部２６ｃから補助構造部３１ｃとレンズ１１との間に入り込んだ場合には、レンズ１１と補助構造部３１ｃとの間にもフィレット効果が強く働くことになるので、レンズ結合部２１に対するレンズ１１の接着力をさらに向上させることが可能となる。
【０１３５】
＜実施の形態９＞
本発明の実施の形態９に係るカメラ（不図示）は、実施の形態１ないし実施の形態８に係るレンズ鏡筒１を備える構成としてある。つまり、レンズ１１を接着剤で鏡筒構造体２に接着、固定したレンズ鏡筒１は、信頼性の高い接着強度を有することから、カメラの落下などによるレンズ鏡筒１からのレンズ１１の脱落などを防止することが可能となり、耐衝撃性が高く信頼性の高いカメラとなる。
【図面の簡単な説明】
【０１３６】
【図１】本発明の実施の形態１に係るレンズ鏡筒の光軸を含む平面での概略断面を示す断面図である。
【図２】図１の矢符Ｚ方向から見たレンズ鏡筒を示す平面図である。
【図３】図２の矢符Ａ−Ａ（レンズ結合部の円周方向）での断面を拡大して示す拡大断面図である。
【図４】図２の矢符Ｂ−Ｂ（位置規定部の半径方向）での断面を拡大して示す拡大断面図である。
【図５】図２の矢符Ｃ−Ｃ（第２接着部の半径方向）での断面を拡大して示す拡大断面図である。
【図６】図２の矢符Ｄ−Ｄ（第１接着部の半径方向）での断面を拡大して示す拡大断面図である。
【図７】本発明の実施の形態２に係るレンズ鏡筒を図１の矢符Ｚ方向から見た平面状態として示す平面図である。
【図８】図７の矢符Ｂ−Ｂ（位置規定部の半径方向）での断面を拡大して示す拡大断面図である。
【図９】図７の矢符Ｃ−Ｃ（第２接着部の半径方向）での断面を拡大して示す拡大断面図である。
【図１０】図７の矢符Ｄ−Ｄ（第１接着部の半径方向）での断面を拡大して示す拡大断面図である。
【図１１】本発明の実施の形態３に係るレンズ鏡筒を図１の矢符Ｚ方向から見た平面状態として示す平面図である。
【図１２】図１１の矢符Ａ−Ａ（レンズ結合部の円周方向）での断面を拡大して示す拡大断面図である。
【図１３】図１１の矢符Ｂ−Ｂ（位置規定部の半径方向）での断面を拡大して示す拡大断面図である。
【図１４】図１１の矢符Ｃ−Ｃ（レンズ結合部の半径方向）での断面を拡大して示す拡大断面図である。
【図１５】本発明の実施の形態４に係るレンズ鏡筒を図１の矢符Ｚ方向から見た平面状態として示す平面図である。
【図１６】図１５の矢符Ａ−Ａ（レンズ結合部の円周方向）での断面を拡大して示す拡大断面図である。
【図１７】図１５の矢符Ｂ−Ｂ（位置規定部の半径方向）での断面を拡大して示す拡大断面図である。
【図１８】図１５の矢符Ｃ−Ｃ（レンズ結合部の半径方向）での断面を拡大して示す拡大断面図である。
【図１９】本発明の実施の形態５に係るレンズ鏡筒を図１の矢符Ｚ方向から見た平面状態として示す平面図である。
【図２０】本発明の実施の形態６に係るレンズ鏡筒を図１の矢符Ｚ方向から見た平面状態として示す平面図である。
【図２１】図２０の矢符Ｓ−Ｓ（レンズ結合部の円周方向）での断面を拡大して示す拡大断面図である。
【図２２】図２０の矢符Ｔ−Ｔ（第１接着部の半径方向）での断面を拡大して示す拡大断面図である。
【図２３】図２０の矢符Ｕ−Ｕ（第２接着部の半径方向）での断面を拡大して示す拡大断面図である。
【図２４】本発明の実施の形態７に係るレンズ鏡筒を図１の矢符Ｚ方向から見た平面状態として示す平面図である。
【図２５】図２４の矢符Ｒ−Ｒ（レンズ結合部２１間の円周方向）での断面を拡大して示す拡大断面図である。
【図２６】本発明の実施の形態８に係るレンズ鏡筒を図１の矢符Ｚ方向から見た平面状態として示す平面図である。
【図２７】図２６の矢符Ｖ−Ｖ（第１接着部、第２接着部の半径方向）での断面を拡大して示す拡大断面図である。
【図２８】従来例に係るレンズ鏡筒の平面を示す平面図である。
【符号の説明】
【０１３７】
１  レンズ鏡筒
２  鏡筒構造体
２ｔ  端面
１１、１２  レンズ
２１、２２  レンズ結合部
２５ａ、２５ｂ、２５ｃ、２５ｄ、２５ｅ  第１接着部
２５ｂｔ  半径方向端部
２５ｂｓ  先端側部
２６ａ、２６ｃ、２６ｄ、２６ｅ  第２接着部
２６ａｔ  半径方向端部
２７  位置規定部
２９  接着部
３１ａ、３１ｃ、３２ａ  補助構造部
Ｇｐ１  第１間隙
Ｇｐ２  第２間隙
Ｇｐ３  第３間隙
Ｇｐｍ  補助間隙
Ｌａｘ  光軸
【図１】
2008090290.tif 000003
【図２】
2008090290.tif 000004
【図３】
2008090290.tif 000005
【図４】
2008090290.tif 000006
【図５】
2008090290.tif 000007
【図６】
2008090290.tif 000008
【図７】
2008090290.tif 000009
【図８】
2008090290.tif 000010
【図９】
2008090290.tif 000011
【図１０】
2008090290.tif 000012
【図１１】
2008090290.tif 000013
【図１２】
2008090290.tif 000014
【図１３】
2008090290.tif 000015
【図１４】
2008090290.tif 000016
【図１５】
2008090290.tif 000017
【図１６】
2008090290.tif 000018
【図１７】
2008090290.tif 000019
【図１８】
2008090290.tif 000020
【図１９】
2008090290.tif 000021
【図２０】
2008090290.tif 000022
【図２１】
2008090290.tif 000023
【図２２】
2008090290.tif 000024
【図２３】
2008090290.tif 000025
【図２４】
2008090290.tif 000026
【図２５】
2008090290.tif 000027
【図２６】
2008090290.tif 000028
【図２７】
2008090290.tif 000029
【図２８】
2008090290.tif 000030